(57)【要約】【課題】複数のセルにおいて同一の周波数が繰り返し使用されるように構成されている移動通信システムにおけるセル間干渉を低減する。【解決手段】本発明に係る移動局ＵＥは、複数のセルとの間で無線リンクが設定されている際に複数のセルの各々のパイロット信号の受信品質を測定する受信品質測定部１５と、複数のセルのうち受信品質が最も良い第１セルに対して受信品質に対応するチャネル品質情報を送信するチャネル品質情報送信部１６と、複数のセルのうち第１セル以外のセルに対して第１セルと同一のリソースでデータ信号を送信しないように要求する制御信号を送信する制御信号送信部１７とを具備する。【選択図】図１
2010074738.tif 000002
【特許請求の範囲】
【請求項１】
複数のセルとの間で無線リンクが設定されている際に、該複数のセルの各々のパイロット信号の受信品質を測定するように構成されている受信品質測定部と、
前記複数のセルのうち、前記受信品質が最も良い第１セルに対して、該受信品質に対応するチャネル品質情報を送信するように構成されているチャネル品質情報送信部と、
前記複数のセルのうち、前記第１セル以外のセルに対して、該第１セルと同一のリソースでデータ信号を送信しないように要求する制御信号を送信するように構成されている制御信号送信部とを具備することを特徴とする移動局。
【請求項２】
下りリンクにおけるスケジューリングを行うように構成されているスケジューリング部を具備する無線基地局であって、
前記スケジューリング部は、前記無線基地局配下の第２セルを含む複数のセルとの間で無線リンクを設定している移動局から、所定の制御信号を受信した場合に、該第２セルにおいて、該複数のセルに含まれる第１セルと同一のリソースでデータ信号を送信しないようにスケジューリングを行うように構成されていることを特徴とする無線基地局。
【請求項３】
前記スケジューリング部は、前記複数のセルとの間で無線リンクを設定している移動局に対して、前記下りリンクにおけるリソースを優先的に割り当てるように構成されていることを特徴とする請求項２に記載の無線基地局。
【請求項４】
移動局が、複数のセルとの間で無線リンクが設定されている際に、該複数のセルの各々のパイロット信号の受信品質を測定する工程と、
前記移動局が、前記複数のセルのうち、前記受信品質が最も良い第１セルに対して、該受信品質に対応するチャネル品質情報を送信する工程と、
前記移動局が、前記複数のセルのうち、前記第１セル以外のセルに対して、該第１セルと同一のリソースでデータ信号を送信しないように要求する制御信号を送信する工程と、
前記第１セル以外のセルを管理する無線基地局が、前記移動局から、前記制御信号を受信した場合に、該第１セル以外のセルにおいて、該第１セルと同一のリソースでデータ信号を送信しないようにスケジューリングを行う工程とを有することを特徴とする移動通信方法。
【発明の詳細な説明】
【技術分野】
【０００１】
本発明は、移動局、無線基地局及び移動通信方法に関する。
【背景技術】
【０００２】
３ＧＰＰで規格化が進められているＬＴＥ（Ｌｏｎｇ  Ｔｅｒｍ  Ｅｖｏｌｕｔｉｏｎ）方式の移動通信システムでは、複数のセルにおいて同一の周波数が繰り返し使用されるように構成されている。
【非特許文献１】ＴＲ２５.８１４  Ｖ７.１.０，“Ｐｈｙｓｉｃａｌ  ｌａｙｅｒ  ａｓｐｅｃｔｓ  ｆｏｒ  ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（ＵＴＲＡ）”、２００６年９月
【発明の開示】
【発明が解決しようとする課題】
【０００３】
しかしながら、このように複数のセルにおいて同一の周波数が繰り返し使用されるように構成されている移動通信システムでは、隣接するセル間で干渉（セル間干渉）が発生する可能性があるという問題点があった。
【０００４】
特に、各無線基地局ｅＮＢが、自立分散的に、配下のセルにおいて使用する周波数を決定するように構成されている移動通信システムでは、かかる問題点が顕著になる。
【０００５】
そこで、本発明は、上述の課題に鑑みてなされたものであり、複数のセルにおいて同一の周波数が繰り返し使用されるように構成されている移動通信システムにおけるセル間干渉を低減することができる移動局、無線基地局及び移動通信方法を提供することを目的とする。
【課題を解決するための手段】
【０００６】
本発明の第１の特徴は、移動局であって、複数のセルとの間で無線リンクが設定されている際に、該複数のセルの各々のパイロット信号の受信品質を測定するように構成されている受信品質測定部と、前記複数のセルのうち、前記受信品質が最も良い第１セルに対して、該受信品質に対応するチャネル品質情報を送信するように構成されているチャネル品質情報送信部と、前記複数のセルのうち、前記第１セル以外のセルに対して、該第１セルと同一のリソースでデータ信号を送信しないように要求する制御信号を送信するように構成されている制御信号送信部とを具備することを要旨とする。
【０００７】
本発明の第２の特徴は、下りリンクにおけるスケジューリングを行うように構成されているスケジューリング部を具備する無線基地局であって、前記スケジューリング部は、前記無線基地局配下の第２セルを含む複数のセルとの間で無線リンクを設定している移動局から、所定の制御信号を受信した場合に、該第２セルにおいて、該複数のセルに含まれる第１セルと同一のリソースでデータ信号を送信しないようにスケジューリングを行うように構成されていることを要旨とする。
【０００８】
本発明の第２の特徴において、前記スケジューリング部は、前記複数のセルとの間で無線リンクを設定している移動局に対して、前記下りリンクにおけるリソースを優先的に割り当てるように構成されていてもよい。
【０００９】
本発明の第３の特徴は、移動通信方法であって、移動局が、複数のセルとの間で無線リンクが設定されている際に、該複数のセルの各々のパイロット信号の受信品質を測定する工程と、前記移動局が、前記複数のセルのうち、前記受信品質が最も良い第１セルに対して、該受信品質に対応するチャネル品質情報を送信する工程と、前記移動局が、前記複数のセルのうち、前記第１セル以外のセルに対して、該第１セルと同一のリソースでデータ信号を送信しないように要求する制御信号を送信する工程と、前記第１セル以外のセルを管理する無線基地局が、前記移動局から、前記制御信号を受信した場合に、該第１セル以外のセルにおいて、該第１セルと同一のリソースでデータ信号を送信しないようにスケジューリングを行う工程とを有することを要旨とする。
【発明の効果】
【００１０】
以上説明したように、本発明によれば、複数のセルにおいて同一の周波数が繰り返し使用されるように構成されている移動通信システムにおけるセル間干渉を低減することができる移動局、無線基地局及び移動通信方法を提供することができる。
【発明を実施するための最良の形態】
【００１１】
（本発明の第１の実施形態に係る移動通信システムの構成）
図１乃至図４を参照して、本発明の第１の実施形態に係る移動通信システムの構成について説明する。
【００１２】
図１に示すように、本実施形態に係る移動通信システムでは、ＬＴＥ方式が適用されており、複数の無線基地局ｅＮＢが、バックホール（Ｂａｃｋｈａｕｌ）回線を介して互いに制御信号をやり取りすることによって、自立分散的に、各移動局ＵＥ（例えば、移動局ＵＥ＃１）による移動通信を制御するように構成されている。
【００１３】
なお、本発明は、ＬＴＥ方式が適用されている移動通信システムだけでなく、ＬＴＥ方式以外の通信方式が適用されている移動通信システムにも適用可能である。
【００１４】
図２に示すように、本実施形態に係る移動局ＵＥ＃１（以下、ＵＥ）は、パイロット信号受信部１１と、測定報告送信部１２と、ハンドオーバ指示信号受信部１３と、ハンドオーバ処理部１４と、受信品質測定部１５と、ＣＱＩ送信部１６と、制御信号送信部１７とを具備している。
【００１５】
パイロット信号受信部１１は、移動局ＵＥによって無線リンク（具体的には、ＲＲＣコネクション）が設定されている１つ又は複数のセルによって送信されているパイロット信号（ＲＳ：Ｒｅｆｅｒｅｎｃｅ  Ｓｉｇｎａｌ）を受信するように構成されている。
【００１６】
また、パイロット信号受信部１１は、無線アクセスネットワーク装置（具体的には、無線基地局ｅＮＢ）によって指定されている測定対象（Ｍｅａｓｕｒｅｍｅｎｔ  Ｏｂｊｅｃｔ）のセルのパイロット信号を受信するように構成されている。
【００１７】
測定報告送信部１２は、無線アクセスネットワーク装置（具体的には、無線基地局ｅＮＢ）によって指定されている報告条件（Ｒｅｐｏｒｔｉｎｇ  Ｃｒｉｔｅｒｉａ）に基づいて、パイロット信号受信部１１によって測定された受信品質を測定し、かかる測定結果を通知するための測定報告（Ｍｅａｓｕｒｅｍｅｎｔ  Ｒｅｐｏｒｔ）を送信するように構成されている。
【００１８】
ここで、測定報告送信部１２によって測定される受信品質としては、ＲＳＲＱ（Ｒｅｆｅｒｅｎｃｅ  Ｓｉｇｎａｌ  Ｒｅｃｅｉｖｅｄ  Ｑｕａｌｉｔｙ）や、ＲＳＲＰ（Ｒｅｆｅｒｅｎｃｅ  Ｓｉｇｎａｌ  Ｒｅｃｅｉｖｅｄ  Ｐｏｗｅｒ）や、受信ＳＩＲ（Ｓｉｇｎａｌ  ｔｏ  Ｉｎｔｅｒｆｅｒｒｅｎｃｅ  Ｒａｔｉｏ）等が想定される。
【００１９】
ハンドオーバ指示信号受信部１３は、無線アクセスネットワーク装置（具体的には、無線基地局ｅＮＢ）から、ハンドオーバを開始するように指示するハンドオーバ指示信号を受信するように構成されている。
【００２０】
ハンドオーバ処理部１４は、ハンドオーバ指示信号受信部１３によって受信されたハンドオーバ指示信号に基づいて、ハンドオーバ処理を行うように構成されている。
【００２１】
受信品質測定部１５は、移動局ＵＥによって複数のセルとの間で無線リンクが設定されている場合、すなわち、移動局ＵＥがソフトハンドオーバ状態である場合、かかる複数のセルの各々によって送信されているパイロット信号の受信品質を測定するように構成されている。
【００２２】
ここで、受信品質測定部１５によって測定される受信品質としては、測定報告送信部１２によって測定される受信品質と同様に、ＲＳＲＱや、ＲＳＲＰや、受信ＳＩＲ等が想定される。
【００２３】
ＣＱＩ送信部１６は、移動局ＵＥによって無線リンクが設定されている複数のセルのうち、受信品質測定部１５によって測定された受信品質が最も良い第１セルに対して、かかる受信品質に対応するＣＱＩ（チャネル品質情報：Ｃｈａｎｎｅｌ  Ｑｕａｌｉｔｙ  Ｉｎｄｉｃａｔｏｒ）を送信するように構成されている。
【００２４】
制御信号送信部１７は、移動局ＵＥによって無線リンクが設定されている複数のセルのうち、受信品質測定部１５によって測定された受信品質が最も良い第１セル以外のセルに対して、かかる第１セルと同一のリソース（例えば、リソースブロック）でデータ信号を送信しないように要求する制御信号を送信するように構成されている。
【００２５】
例えば、移動局ＵＥによって２つのセルとの間で無線リンクが設定されている場合、ＣＱＩ送信部１６は、受信品質が良い方の第１セルに対して、かかる受信品質に対応するＣＱＩを送信し、制御信号送信部１７は、受信品質が悪い方の第２セルに対して、上述の制御信号を送信するように構成されている。
【００２６】
なお、制御信号送信部１７は、第１セル以外のセルにおける受信品質が所定閾値を下回る場合にのみ、上述の制御信号を送信するように構成されていてもよい。
【００２７】
図２に示すように、本実施形態に係る無線基地局ｅＮＢ＃１/ｅＮＢ＃２（以下、ｅＮＢ）は、測定報告受信部２１と、ハンドオーバ処理部２２と、ハンドオーバ指示信号送信部２３と、制御信号受信部２４と、ＣＱＩ受信部２５と、スケジューリング部２６と、データ信号送信部２７とを具備している。
【００２８】
測定報告受信部２１は、無線基地局ｅＮＢ配下のセルとの間で無線リンクが設定されている移動局ＵＥによって送信された測定報告を受信するように構成されている。
【００２９】
ハンドオーバ処理部２２は、測定報告受信部２１によって受信された測定報告に基づいて、上述の移動局ＵＥがハンドオーバを開始すべきか否かについて決定するように構成されている。
【００３０】
なお、ハンドオーバ処理部２２は、他の無線基地局から受信した「セル端識別子」に応じて、上述の移動局ＵＥがハンドオーバを開始すべきか否かについて決定するように構成されていてもよい。
【００３１】
ここで、「セル端識別子」は、各移動局ＵＥがセル端に存在することを示す識別子であり、各移動局ＵＥから特定の無線基地局ｅＮＢに通知されるものである。例えば、移動局ＵＥは、２つのセルのパイロット信号の受信品質の差が所定閾値内になった場合、セル端に存在することになったと判定し、その旨を示す「セル端識別子」を、かかる２つのセルのいずれかを管理する無線基地局ｅＮＢに対して通知してもよい。
【００３２】
ハンドオーバ指示信号送信部２３は、ハンドオーバ処理部２２によってハンドオーバを開始すべきであると判定された移動局ＵＥに対して、その旨を示すハンドオーバ指示信号を送信するように構成されている。
【００３３】
制御信号受信部２４は、無線基地局ｅＮＢ配下のセルとの間で無線リンクが設定されている移動局ＵＥから、上述の制御信号を受信するように構成されている。
【００３４】
ＣＱＩ受信部２５は、無線基地局ｅＮＢ配下のセルとの間で無線リンクが設定されている移動局ＵＥから、上述のＣＱＩを受信するように構成されている。
【００３５】
スケジューリング部２６は、下りリンクにおけるスケジューリングを行うように構成されている。
【００３６】
具体的には、制御信号受信部２４が、無線基地局ｅＮＢ配下の第２セルを含む複数のセルとの間で無線リンクを設定している移動局ＵＥから、上述の制御信号を受信した場合に、スケジューリング部２６は、かかる第２セルにおいて、該かかる数のセルに含まれる第１セルと同一のリソースでデータ信号を送信しないようにスケジューリングを行うように構成されている。
【００３７】
例えば、図４に示すように、無線基地局ｅＮＢ＃１配下のセル＃１と無線基地局ｅＮＢ＃１配下のセル＃２との間で無線リンクを設定している移動局ＵＥから、制御信号受信部２４が、セル＃２においてセル＃１と同一のリソースブロック＃１でデータ信号を送信しないように要求する制御信号を受信し、ＣＱＩ受信部２５が、セル＃１に係るＣＱＩを受信した場合には、スケジューリング部２６は、リソースブロック＃１において、セル＃１に対してデータ信号を送信し、セル＃２に対するデータ信号の送信を停止する。
【００３８】
なお、スケジューリング部２６は、複数のセルとの間で無線リンクを設定している移動局ＵＥに対して、すなわち、ソフトハンドオーバ状態の移動局ＵＥに対して、下りリンクにおけるリソースを優先的に割り当てるように構成されていてもよい。
【００３９】
データ信号送信部２７は、スケジューリング部２６によって移動局ＵＥに割り当てられた下りリソースを用いて、当該移動局ＵＥに対してデータ信号を送信するように構成されている。
【００４０】
（本発明の第１の実施形態に係る移動通信システムの動作）
図５を参照して、本発明の第１の実施形態に係る移動通信システムの動作、具体的には、移動局ＵＥの動作について説明する。
【００４１】
図５に示すように、ステップＳ１０１において、第１セルとの間で無線リンクを確立している移動局ＵＥが、かかる第１セルを管理する無線基地局ｅＮＢからハンドオーバ指示信号を受信した場合に、本動作は、ステップＳ１０２に進む。
【００４２】
ステップＳ１０２において、移動局ＵＥは、かかるハンドオーバ指示信号に応じて、第１セルと第２セルとの間で無線リンクを設定することよって、ハンドオーバを開始する。
【００４３】
ステップＳ１０３において、移動局ＵＥは、第１セル及び第２セルにおけるパイロット信号の受信品質を測定する。ここで、第１セルにおけるパイロット信号の受信品質よりも、第２セルにおけるパイロット信号の受信品質の方が良いものとする。
【００４４】
ステップＳ１０４において、移動局ＵＥは、第２セルに対して、かかる第２セルの受信品質に対応するＣＱＩを送信し、第１セルに対して、第２セルと同一リソースでデータ信号を送信しないように要求する制御信号を送信する。
【００４５】
ステップＳ１０５において、移動局ＵＥは、第２セルによって送信されたデータ信号を受信する。かかる場合、第１セルからは、データ信号は送信されていないものとする。
【００４６】
（本発明の第１の実施形態に係る移動通信システムの作用・効果）
本実施形態に係る移動通信システムによれば、移動局ＵＥが複数のセルとの間で無線リンクを設定している場合に、かかる移動局ＵＥにおけるパイロット信号の受信品質の悪いセルによるデータ信号の送信を停止することができるため、複数のセルにおいて同一の周波数が繰り返し使用されるように構成されている移動通信システムにおけるセル間干渉を低減することができる。
【００４７】
また、本実施形態に係る移動通信システムによれば、セル端に存在する移動局ＵＥ、すなわち、ソフトハンドオーバ状態にある移動局ＵＥに対して、下りリンクを優先的に割り当てつつ、かかる移動局ＵＥにおけるパイロット信号の受信品質の悪いセルによるデータ信号の送信を停止することができるため、下りリンクにおけるスループットを上げることができる。
【００４８】
なお、上述の移動局ＵＥや無線基地局ｅＮＢの動作は、ハードウェアによって実施されてもよいし、プロセッサによって実行されるソフトウェアモジュールによって実施されてもよいし、両者の組み合わせによって実施されてもよい。
【００４９】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００５０】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥ及び無線基地局ｅＮＢ内に設けられていてもよい。また、かかる記憶媒体及びプロセッサは、ディスクリートコンポーネントとして移動局ＵＥ及び無線基地局ｅＮＢ内に設けられていてもよい。
【００５１】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図面の簡単な説明】
【００５２】
【図１】本発明の第１の実施形態に係る移動通信システムの全体構成図である。
【図２】本発明の第１の実施形態に係る移動局の機能ブロック図である。
【図３】本発明の第１の実施形態に係る無線基地局の機能ブロック図である。
【図４】本発明の第１の実施形態に係る無線基地局によるデータ信号の送信方法について説明するための図である。
【図５】本発明の第１の実施形態に係る移動局の動作を示すフローチャートである。
【符号の説明】
【００５３】
ＵＥ…移動局
１１…パイロット信号受信部
１２…測定報告送信部
１３…ハンドオーバ指示信号受信部
１４、２２…ハンドオーバ処理部
１５…受信品質測定部
１６…ＣＱＩ送信部
１７…制御信号送信部
ｅＮＢ…無線基地局
２１…測定報告受信部
２３…ハンドオーバ指示信号送信部
２４…制御信号受信部
２５…ＣＱＩ受信部
２６…スケジューリング部
２７…データ信号送信部
【図１】
2010074738.tif 000003
【図２】
2010074738.tif 000004
【図３】
2010074738.tif 000005
【図４】
2010074738.tif 000006
【図５】
2010074738.tif 000007